(57)【要約】【課題】照明制御システムにおいて、ユーザに不快感を与えずにろうそくの炎による照明を疑似的に再現し、かつ、低コストにする。【解決手段】照明制御システム１は、光源２と、点灯回路３と、制御部４と、光源２の光出力を変化させる揺らぎ波形を生成する調光信号生成部５と、第１の揺らぎ波形と第２の揺らぎ波形を記憶する記憶部６とを備えている。第１の揺らぎ波形は光出力の周期が長く、かつ変化幅が大きい。第２の揺らぎ波形は周期が相対的に短く、かつ変化幅が相対的に小さい。調光信号生成部５は、第１の揺らぎ波形の光出力の絶対値が大きいときは、第２の揺らぎ波形の周期を連動して短くし、２つの波形を重畳して揺らぎ波形を生成する。第１の揺らぎ波形の光出力の絶対値と第２の揺らぎ波形の周期が連動するので、ユーザに不快感を与えずにろうそくの炎による照明を疑似的に再現することができ、かつ、複数の光源を必要としないので低コストとなる。【選択図】図１
2010003578.tif 000002
【特許請求の範囲】
【請求項１】
光源の光出力を経時的に変化させる照明制御システムにおいて、
前記光源を点灯制御する制御部と、
前記光源の光出力を変化させる調光信号を生成し、前記制御部に出力する調光信号生成部と、を備え、
前記調光信号生成部は、調光信号として、光出力が増減する変化の周期が長く、かつ光出力の変化幅が大きい第１の揺らぎ波形と、光出力が増減する変化の周期が相対的に短く、かつ光出力の変化幅が相対的に小さい第２の揺らぎ波形と、を作成し、これら両波形を重畳した波形を生成し、前記第１の揺らぎ波形の光出力の絶対値が大きいときは、前記第２の揺らぎ波形の光出力の周期を連動して短くすることを特徴とする照明制御システム。
【請求項２】
光源の光出力を経時的に変化させる照明制御システムにおいて、
前記光源を点灯制御する制御部と、
前記光源の光出力を変化させる調光信号を生成し、前記制御部に出力する調光信号生成部と、を備え、
前記調光信号生成部は、調光信号として、光出力が増減する変化の周期が長く、かつ光出力の変化幅が大きい第１の揺らぎ波形と、光出力が増減する変化の周期が相対的に短く、かつ光出力の変化幅が相対的に小さい第２の揺らぎ波形と、を作成し、これら両波形を重畳した波形を生成し、前記第１の揺らぎ波形の光出力の絶対値が大きいときは、前記第２の揺らぎ波形の光出力の変化幅を連動して大きくすることを特徴とする照明制御システム。
【発明の詳細な説明】
【技術分野】
【０００１】
本発明は、光出力を経時的に変化させる照明制御システムに関する。
【背景技術】
【０００２】
従来から、光出力を経時的に変化させることにより、ろうそくの炎に似せた照明を行なう照明制御システムが知られている。このような照明制御システムの例を図５に示す。照明制御システム１０１は、２個の光源１０２ａ、１０２ｂと、光源１０２ａ、１０２ｂを覆う乳白色のアクリルカバー１０３と、光源を点灯させる点灯回路（図示せず）や制御部（図示せず）等を有するベース部１０４を備えている。
【０００３】
制御部は、ろうそくの炎が大きい状態を表すときは光源１０２ａ、１０２ｂの両方を点灯させ、ろうそくの炎が小さい状態を表すときは光源１０２ａを消灯し光源１０２ｂを点灯させる。このように、制御部は光源１０２ａ、１０２ｂの点灯を制御して、ろうそくの炎の再現を行なう。しかしながら、このような照明制御システムにおいては光源が２個必要であるので、高コストになり、また、２個の光源を単に点灯／消灯させるだけではろうそくの炎による照明を十分には再現できない。
【０００４】
また、光出力を経時的に単純増加及び単純減少させる出力パターンと、ランダムデータに基づいて光出力を変化させる出力パターンとを重畳させた出力パターンに基づいて光源の光出力を変化させる照明装置が知られている（例えば、特許文献１参照）。
【０００５】
しかしながら、特許文献１に示されるような照明装置においては、光出力が小さいときも大きいときと同様に光出力が変化するので、照明がユーザに不快感を与え、また、ろうそくの炎による照明を十分には再現できない。
【特許文献１】特開２００７−１９４１７６号公報
【発明の開示】
【発明が解決しようとする課題】
【０００６】
本発明は、上記問題を解消するものであり、ユーザに不快感を与えずにろうそくの炎による照明を疑似的に再現することができ、かつ、低コストな照明制御システムを提供することを目的とする。
【課題を解決するための手段】
【０００７】
上記目的を達成するために請求項１の発明は、光源の光出力を経時的に変化させる照明制御システムにおいて、前記光源を点灯制御する制御部と、前記光源の光出力を変化させる調光信号を生成し、前記制御部に出力する調光信号生成部と、を備え、前記調光信号生成部は、調光信号として、光出力が増減する変化の周期が長く、かつ光出力の変化幅が大きい第１の揺らぎ波形と、光出力が増減する変化の周期が相対的に短く、かつ光出力の変化幅が相対的に小さい第２の揺らぎ波形と、を作成し、これら両波形を重畳した波形を生成し、前記第１の揺らぎ波形の光出力の絶対値が大きいときは、前記第２の揺らぎ波形の光出力の周期を連動して短くするものである。
【０００８】
請求項２の発明は、光源の光出力を経時的に変化させる照明制御システムにおいて、前記光源を点灯制御する制御部と、前記光源の光出力を変化させる調光信号を生成し、前記制御部に出力する調光信号生成部と、を備え、前記調光信号生成部は、調光信号として、光出力が増減する変化の周期が長く、かつ光出力の変化幅が大きい第１の揺らぎ波形と、光出力が増減する変化の周期が相対的に短く、かつ光出力の変化幅が相対的に小さい第２の揺らぎ波形と、を作成し、これら両波形を重畳した波形を生成し、前記第１の揺らぎ波形の光出力の絶対値が大きいときは、前記第２の揺らぎ波形の光出力の変化幅を連動して大きくするものである。
【発明の効果】
【０００９】
請求項１の発明によれば、第２の揺らぎ波形の周期が第１の揺らぎ波形の光出力の絶対値に連動して変化するので、光出力の揺らぎがユーザに不快感を与えずに自然な変化となり、ろうそくの炎による照明を疑似的に再現することができる。また、複数の光源を必要としないので低コストにすることができる。
【００１０】
請求項２の発明によれば、第２の揺らぎ波形の変化幅が第１の揺らぎ波形の光出力の絶対値に連動して変化するので、光出力の揺らぎがユーザに不快感を与えずに自然な変化となり、ろうそくの炎による照明を疑似的に再現することができる。また、複数の光源を必要としないので低コストにすることができる。
【発明を実施するための最良の形態】
【００１１】
（第１の実施形態）
本発明の第１の実施形態に係る照明制御システムについて図１を参照して説明する。図１は、照明制御システムの構成を示す。照明制御システム１は、光源２と、光源２を点灯させる点灯回路３と、点灯回路３を制御する制御部４と、ろうそくの炎による照明を疑似的に再現できるように光源２の光出力を変化させる調光信号としての揺らぎ波形を生成する調光信号生成部５と、揺らぎ波形の元になる第１の揺らぎ波形と第２の揺らぎ波形を記憶する記憶部６と、調光信号生成部５等に供給する電源を商用電源７から生成する電源部８と、を備えている。第１の揺らぎ波形と第２の揺らぎ波形の詳細については後述する。
【００１２】
光源２は、例えば、ＬＥＤや白熱灯や放電灯であるが、応答速度の速いＬＥＤが望ましい。調光信号生成部５は、第１の揺らぎ波形と第２の揺らぎ波形を重畳して揺らぎ波形（以下、重畳揺らぎ波形という）を生成する。記憶部６は、不揮発性であってデータの書き換えが可能なＲＡＭ、フラッシュメモリ、ＥＰＲＯＭ、ＥＥＰＲＯＭ等であり、第１の揺らぎ波形及び第２の揺らぎ波形の出力パターンと、光源２のＬＥＤの赤、緑、青の調光データを記憶している。この赤、緑、青の調光データは、光源２の照明光がろうそくの炎の色を再現するように調整されている。調光信号生成部５と記憶部６とは、例えばＭＰＵ（Micro Processing Unit）の中に構成されている。制御部４は、重畳揺らぎ波形と、光源２のＬＥＤの調光データとに基づいて点灯回路３を制御し、光源２を点灯させる。
【００１３】
次に、ろうそくの炎の揺らぎについて、図２（ａ）、（ｂ）を参照して説明する。図２（ａ）は、ろうそくの炎が横方向に揺らいでいる状態を、図２（ｂ）は、ろうそくの炎が縦方向に揺らいでいる状態を示す。ろうそくの炎は、横方向に揺らぐときは、ゆっくりと動き、このときの光出力の変化幅は大きい。また、縦方向に揺らぐときは、速く動き、このときの光出力の変化幅は小さい。ろうそくの炎の横方向の揺らぎを第１の揺らぎ波形によって再現し、ろうそくの炎の縦方向の揺らぎを第２の揺らぎ波形によって再現する。調光信号生成部５は、第１の揺らぎ波形の光出力の絶対値に連動して第２の揺らぎ波形の光出力の周期を変化させる。
【００１４】
次に、調光信号生成部５による揺らぎ波形の生成動作について、図３を参照して説明する。図３（ａ）及び（ｂ）は第１の揺らぎ波形及び第２の揺らぎ波形の光出力の時間変化を示す。第１の揺らぎ波形及び第２の揺らぎ波形の光出力は、一定時間の間は同一の出力で保持され、一定時間間隔で変化している。この揺らぎ波形において、光出力の変化中での極大値から極大値までの時間を周期とし、極大値と極小値との差を変化幅とする。第１の揺らぎ波形は、ろうそくの炎の横方向の動きを模しているので、周期が長く、変化幅が大きい。光出力は調光上限値と調光下限値の間を周期的に変化する。周期は１０〜２０ｓの範囲が望ましい。また、変化幅は調光上限値を１００とすると５０〜１００の範囲が望ましい。
【００１５】
第２の揺らぎ波形は、ろうそくの炎の縦方向の動きを模しているので、周期が短く、変化幅が小さい。光出力は調光上限値と調光下限値の間を周期的に変化する。周期は１０〜５００ｍｓの範囲が望ましい。また、変化幅は第１の揺らぎ波形の調光上限値を１００とすると０．２５〜１の範囲が望ましい。
【００１６】
図３（ｃ）は、第１の揺らぎ波形の絶対値に連動して周期が変化した第２の揺らぎ波形の光出力の時間変化を示す。図中の１点鎖線の矢印は光出力の増減方向を示している。第１の揺らぎ波形の絶対値が大きいところでは、第２の揺らぎ波形の光出力の周期は短くされ、光出力の増減方向が逆転する頻度を多くしている。他方、第１の揺らぎ波形の絶対値が小さいところでは、第２の揺らぎ波形の光出力の周期は長くされ、光出力の増減方向が逆転する頻度を少なくしている。従って、第２の揺らぎ波形の光出力の周期は、上述した１０〜５００ｍｓの範囲よりも広くなる。光出力の周期を変化させた第２の揺らぎ波形は第１の揺らぎ波形に重畳される。これにより、光出力が小さいときは光出力の周期が長くなるので、ユーザに不快感を与えない。
【００１７】
図３（ｄ）は、重畳揺らぎ波形の光出力の時間変化を示す。重畳揺らぎ波形の光出力は、短い周期で小さい変化幅で変化しながら、長い周期で大きい変化幅で変化をしている。また、光出力の絶対値が大きいところでは第２の揺らぎ波形による周期が短く、光出力の絶対値が小さいところでは第２の揺らぎ波形による周期が長い。このように、ろうそくの炎の横方向の揺らぎを再現する第１の揺らぎ波形と、ろうそくの炎の縦方向の揺らぎを再現する第２の揺らぎ波形が重畳して重畳揺らぎ波形が生成され、また、第２の揺らぎ波形の周期が第１の揺らぎ波形の光出力の絶対値に連動して変化するので、光源２の光出力の揺らぎがユーザに不快感を与えずに自然な変化となり、実際のろうそくの炎による照明を疑似的に再現することができる。また、複数の光源２を必要としないので低コストになる。
【００１８】
（第２の実施形態）
次に、第２の実施形態に係る照明制御システムについて図４を参照して説明する。照明制御システムの構成は第１の実施形態に係る照明制御システムと同様で、調光信号生成部５による揺らぎ波形の生成が異なる。第１の実施形態においては、第１の揺らぎ波形の絶対値に連動して第２の揺らぎ波形の周期を変化させたが、第２の実施形態においては、第１の揺らぎ波形の絶対値に連動して第２の揺らぎ波形の光出力の変化幅を変化させる。図４（ａ）及び（ｂ）は第１の揺らぎ波形及び第２の揺らぎ波形の光出力の時間変化を示し、これらは、第１の実施形態の波形と同じである。
【００１９】
図４（ｃ）は、第１の揺らぎ波形の絶対値に連動して光出力の変化幅が変化した第２の揺らぎ波形の光出力の時間変化を示す。第２の揺らぎ波形の光出力の変化幅は、第１の揺らぎ波形の絶対値が大きいところでは大きくされ、第１の揺らぎ波形の絶対値が小さいところでは小さくされる。従って、第２の揺らぎ波形の光出力の変化幅の範囲は、上述した０．２５〜１よりも広くなる。光出力の変化幅を変化させた第２の揺らぎ波形は第１の揺らぎ波形に重畳される。これにより、光出力が小さいときは光出力の変化幅が小さくなるので、ユーザに不快感を与えない。
【００２０】
図４（ｄ）は、重畳揺らぎ波形の光出力の時間変化を示す。重畳揺らぎ波形の光出力は、短い周期で小さい変化幅で変化しながら、長い周期で大きい変化幅で変化している。また、光出力の絶対値が大きいところでは第２の揺らぎ波形による光出力の変化幅が大きく、光出力の絶対値が小さいところでは第２の揺らぎ波形による光出力の変化幅が小さい。
【００２１】
このように、第２の揺らぎ波形の光出力の変化幅が第１の揺らぎ波形の光出力の絶対値に連動して変化するので、光源２の光出力の揺らぎがユーザに不快感を与えずに自然な変化となり、実際のろうそくの炎による照明を疑似的に再現することができる。
【００２２】
なお、本発明は、上記各種実施形態の構成に限られず、発明の趣旨を変更しない範囲で種々の変形が可能である。例えば、光源２の光出力は段階的に変化するのでなく、連続的に変化するようにしてもよい。
【図面の簡単な説明】
【００２３】
【図１】本発明の第１の実施形態に係る照明制御システムの構成図。
【図２】（ａ）は本システムによって照明を疑似されるろうそくの炎の横方向の揺らぎを説明する図、（ｂ）はろうそくの炎の縦方向の揺らぎを説明する図。
【図３】（ａ）は同上照明制御システムの第１の揺らぎ波形を示す図、（ｂ）は第２の揺らぎ波形を示す図、（ｃ）は光出力の周期が変化した第２の揺らぎ波形を示す図、（ｄ）は重畳揺らぎ波形を示す図。
【図４】（ａ）は本発明の第２の実施形態に係る照明制御システムの第１の揺らぎ波形を示す図、（ｂ）は第２の揺らぎ波形を示す図、（ｃ）は光出力の変化幅が変化した第２の揺らぎ波形を示す図、（ｄ）は重畳揺らぎ波形を示す図。
【図５】従来の照明制御システムの正面部分断面図。
【符号の説明】
【００２４】
１  照明制御システム
２  光源
４  制御部
５  調光信号生成部
【図１】
2010003578.tif 000003
【図２】
2010003578.tif 000004
【図３】
2010003578.tif 000005
【図４】
2010003578.tif 000006
【図５】
2010003578.tif 000007